(57)【特許請求の範囲】
【請求項１】
平面正方形状の底部の四方外周縁から上方に向かって一定高さの低壁部を突設した筐体からなる点字ブロック本体内を平面十字状の仕切壁によって平面略正方形状の室部に四等分していると共に、各室部の上端開口部にこの上端開口部と同一形状で同一大きさの分割透光性板状体を配設してその下面を各室部の上端内周面に形成している平面略四角枠状の段部に支持させた状態にしてボルトにより固定してあり、さらに、各室部の四方内面に上記低壁部の高さよりも低い一定高さを有し、且つ、内方に向かって支持柱部を突設している支持突部を突設して、各室部の平面形状と同一形状、同一大きさを有する平面略正方形状の回路基板を上記点字ブロック本体から一定深さ下方に没入させた状態でその下面外周縁部を上記支持柱部の上端面に支持させていると共に、上記分割透光性板状体の下面と回路基板に上方に向けて配設している発光ダイオードとの間に、室部の平面形状と同一形状、同一大きさを有する平面略正方形状の透光性着色シートを、その下面外周縁部を上記支持突部の上端面に支持させることによって配設してあり、上記各室部内における上記回路基板の下方空間部に、上記発光ダイオードを発光させるための電源及び発光ダイオードの制御回路を配設していることを特徴とする点字ブロック。
【発明の詳細な説明】
【０００１】
【発明の属する技術分野】
本発明は、点字ブロックの透光性板状体を発光ダイオードによって照らし、明暗を認識できる程度の視覚障害者（以下、「弱視者」という）を円滑に目的地に誘導することができる点字ブロックに関する。
【０００２】
【従来の技術】
従来から歩道やプラットホーム等には、弱視者を目的地まで誘導するために点字ブロックが敷設されている。この点字ブロックは、平面正方形状に形成されているとともに上面に複数個の凸部が突設されており、弱視者は、上記点字ブロックの凸部を足先或いは杖の下端部で感知することよって目的地まで移動している。
【０００３】
しかしながら、上記点字ブロックは、平面正方形状のコンクリート製板状体の上面に単に凸部を複数個設けているだけにすぎないことから、弱視者は明暗を識別できるにもかかわらず、上述の如く、足先や杖の下端部で突部を感知することによってしか点字ブロックを認識することができず、点字ブロックの敷設場所を円滑に認識することができないといった問題点があった。
【０００４】
【発明が解決しようとする課題】
本発明は、上端面が全面的に光り、弱視者が敷設位置を容易に認識することができるとともに目的地まで円滑に誘導できる点字ブロックを提供する。
【０００５】
【課題を解決するための手段】
請求項１に記載の点字ブロックは、平面正方形状の底部の四方外周縁から上方に向かって一定高さの低壁部を突設した筐体からなる点字ブロック本体内を平面十字状の仕切壁によって平面略正方形状の室部に四等分していると共に、各室部の上端開口部にこの上端開口部と同一形状で同一大きさの分割透光性板状体を配設してその下面を各室部の上端内周面に形成している平面略四角枠状の段部に支持させた状態にしてボルトにより固定してあり、さらに、各室部の四方内面に上記低壁部の高さよりも低い一定高さを有し、且つ、内方に向かって支持柱部を突設している支持突部を突設して、各室部の平面形状と同一形状、同一大きさを有する平面略正方形状の回路基板を上記点字ブロック本体から一定深さ下方に没入させた状態でその下面外周縁部を上記支持柱部の上端面に支持させていると共に、上記分割透光性板状体の下面と回路基板に上方に向けて配設している発光ダイオードとの間に、室部の平面形状と同一形状、同一大きさを有する平面略正方形状の透光性着色シートを、その下面外周縁部を上記支持突部の上端面に支持させることによって配設してあり、上記各室部内における上記回路基板の下方空間部に、上記発光ダイオードを発光させるための電源及び発光ダイオードの制御回路を配設していることを特徴とする。
【０００６】
【作用】
本発明の点字ブロックは、その上端面が光るので、弱視者は点字ブロックの敷設位置を容易に認識することができ、弱視者を目的地まで確実に誘導することができる。
【０００７】
【発明の実施の形態】
本発明の点字ブロックの一例を図面を参照しつつ説明する。点字ブロックＡの点字ブロック本体１は、図１乃至図３に示したように、平面正方形状の底部11とこの底部11の四方外周縁から上方に向かって突設した一定高さの低壁部12とからなり、上端部が全面的に開口した筐体から構成されている。
【０００８】
そして、上記点字ブロック本体１内は、該点字ブロック本体１の低壁部12の高さと同一高さを有する平面十字状の仕切り壁13がその四方端部を上記低壁部12の各四方内面における幅方向の中央部に連接させられるとともに下端面を上記点字ブロック本体１の底部11内面に連接させられることによって十字状に四等分割されて平面略正方形状の室部10、10・・・に画設されている。更に、上記各室部10の上端内周面には平面略四角枠状の段部101
が形成され、各室部10の上端開口部は一回り大きな平面略正方形状に形成されている。
【０００９】
又、上記点字ブロック本体１の各室部10の四方内面の夫々には、上記低壁部12及び上記仕切り壁13の高さよりも低い一定高さを有する側面横長長方形状の支持突部14、14・・・が突設され、更に、この支持突部14の幅方向の両端部には、上記支持突部14の高さよりも若干低い高さを有する断面略半円形状の支持柱部15、15が突設されている。
【００１０】
そして、図１及び図４に示したように、上記点字ブロック本体１の各室部10内には、上面に複数個の発光ダイオード３、３・・・が一定間隔毎に格子状に配設され且つ上記室部10の平面形状と同一形状、同一大きさを有する平面略正方形状の回路基板４（図１及び図４では９個の発光ダイオード３、３・・・が一定間隔毎に格子状に配設されている）が、その発光ダイオード３を上方に向け且つ上記点字ブロック本体１の上端開口部から一定深さだけ下方に没入させた状態に下面外周縁部を上記支持柱部15、15・・・の上端面に支持させることによって水平状態に且つ安定的に配設されている。
【００１１】
なお、図４に示したように、上記各室部10内における上記回路基板４の下方空間部には、上記回路基板４の発光ダイオード３を発光させるための電源５及び発光ダイオード３の発光状態を制御するための制御回路６が配設されている。なお、上記電源５は、外部から電気の供給を受けていても太陽電池の様に自己発電するものであってもよい。
【００１２】
又、上記点字ブロック本体１の上端開口部には、図４及び図５に示したように、合成樹脂製透光性板状体２が張設されている。この透光性板状体２は、上記点字ブロック本体１における各室部10の上端開口部と同一形状で且つ同一大きさを有する４枚の小版の平面正方形状分割透光性板状体21、21・・・を上記仕切り壁13の上端部131 を介して互いに非接触状態に平面正方形状に組み合わせることによって上記点字ブロック本体１の上端開口部と略同一形状で且つ略同一大きさの平面略正方形状に形成されている。
【００１３】
具体的には、上記分割透光性板状体21は、その下面外周縁部を上記室部10の上端開口部に形成した平面略四角枠状の段部101 上に安定的に支持させることによって水平状態に配設されている。
【００１４】
そして、図１に示したように、上記分割透光性板状体21の四方隅部には上下面間に亘って貫通する貫通孔212 、212 ・・・が貫設されてあり、この貫通孔212
の夫々に上方からボルト７を挿通し、上記室部10の段部101 の四方隅部に凹設した螺子孔101aに上記ボルト７を一体的に螺合させることによって上記分割透光性板状体21を上記室部10の上端開口部に一体的に固定している。
【００１５】
更に、図４に示したように、上記回路基板４の発光ダイオード３、３・・・に対応した上記分割透光性板状体21の上面部分の夫々には低截頭円錐形状の突部211 、211 ・・・が突設されている。
【００１６】
そして、上記発光ダイオード３、３・・・を発光させると、上記分割透光性板状体21は透光性であることから、上記発光ダイオード３の光が上記分割透光性板状体21を通過して外部に照光され、上記分割透光性板状体21は上記発光ダイオード３、３・・・によって全面的に照らされた状態となる。
【００１７】
又、上記分割透光性板状体21の下面と上記発光ダイオード３、３・・・との間には、上記室部10の平面形状と同一形状、同一大きさを有する平面略正方形状の透光性着色シート８がその下面外周縁部を上記支持突部14、14・・・の上端面に支持させることによって配設されている。
【００１８】
そして、上記透光性着色シート８の色又は濃度を調整することによって、上記分割透光性板状体21を通過する発光ダイオード３、３・・・からの光の色及び強度を点字ブロックＡの敷設環境に応じて微妙に調節し、上記分割透光性板状体21（透光性板状体２）を上記発光ダイオード３、３・・・によって最適な状態に照らすことができる。
【００１９】
更に、上記分割透光性板状体21、21・・・の外周端面とこれに対向する上記室部10の上端内周面間には、上記分割透光性板状体21に加わる衝撃を緩衝させるとともに上記室部10内に砂や埃等が進入しないように、弾性材料からなる充填剤（図示せず）が充填されている。
【００２０】
次に、上記点字ブロックＡの使用要領を説明する。上記点字ブロックＡは、図６に示したように、歩道や道路等に複数個、透光性板状体２が露出し且つ隣接する点字ブロックＡ、Ａ同士が互いに接触した状態に連続的に埋設し、これら点字ブロックＡ、Ａ・・・によって帯状体を形成した状態にして用いられる。
【００２１】
しかるに、上記点字ブロックＡの発光ダイオード３を電源５から電気を供給して発光させると、この発光ダイオード３の光によって上記分割透光性板状体21、21・・・、即ち、上記分割透光性板状体21、21・・・を組み合わせてなる透光性板状体２が全面的に照らされた状態となって、弱視者であっても昼夜間を問わず点字ブロックＡを容易に且つ確実に認識することができ、弱視者は目的地に確実に到達することができる。
【００２２】
更に、上記分割透光性板状体21の外周面と、これに対向する上記点字ブロックＡの室部10の上端内周面との間には弾性材料からなる充填剤が充填されてあり、上記分割透光性板状体21に加わった力を上記弾性材料からなる充填剤によって弾性的に吸収させることができ、上記分割透光性板状体21の破損をより確実に防止することができる。
【００２３】
【発明の効果】
請求項１に記載の点字ブロックによれば、平面正方形状の底部の四方外周縁から上方に向かって一定高さの低壁部を突設した筐体からなる点字ブロック本体内を平面十字状の仕切壁によって平面略正方形状の室部に四等分していると共に、各室部の上端開口部にこの上端開口部と同一形状で同一大きさの分割透光性板状体を配設してその下面を各室部の上端内周面に形成している平面略四角枠状の段部に支持させた状態にしてボルトにより固定してあり、さらに、各室部の四方内面に上記低壁部の高さよりも低い一定高さを有し、且つ、内方に向かって両側部に支持柱部を突設している支持突部を突設して、各室部の平面形状と同一形状、同一大きさを有する平面略正方形状の回路基板を上記点字ブロック本体から一定深さ下方に没入させた状態でその下面外周縁部を上記支持柱部の上端面に支持させていると共に、上記分割透光性板状体の下面と回路基板に上方に向けて配設している発光ダイオードとの間に、室部の平面形状と同一形状、同一大きさを有する平面略正方形状の透光性着色シートを、その下面外周縁部を上記支持突部の上端面に支持させることによって配設してあり、上記各室部内における上記回路基板の下方空間部に、上記発光ダイオードを発光させるための電源及び発光ダイオードの制御回路を配設しているので、上記発光ダイオードの光を上記透光性板状体を通じて外部に照光させることができて、弱視者であっても昼夜間を問わず点字ブロックを容易に且つ確実に認識することができ、よって、弱視者は目的地まで円滑に且つ確実に到達することができる。
【００２４】
又、上記各分割透光性板状体と発光ダイオードとの対向面間に透光性着色シートが配設されているので、透光性着色シートの色や濃度を調節することにより分割透光性板状体を通じて外部に出る発光ダイオードの光の色及び強度を微調整することができ、よって、点字ブロックを敷設する外部環境に応じて分割透光性板状体を通過する発光ダイオードの光の色及び強度を微調整して分割透光性板状体を発光ダイオードによって最も認識し易い状態に照らし、弱視者が点字ブロックをより容易に認識可能とし、弱視者はより確実に目的地に到達することができる。
【図面の簡単な説明】
【図１】  本発明の点字ブロックを示した斜視図である。
【図２】  点字ブロック本体を示した平面図である。
【図３】  点字ブロック本体を示した縦断面図である。
【図４】  点字ブロックを示した縦断面図である。
【図５】  点字ブロックを示した平面図である。
【図６】  点字ブロックの使用状態を示した斜視図である。
【符号の説明】
１  点字ブロック本体
10  室部
13  仕切り壁
２  透光性板状体
21  分割透光性板状体
３  発光ダイオード
４  回路基板
８  透光性着色シート
Ａ  点字ブロック
【図１】
0004680428.tif 000002
【図２】
0004680428.tif 000003
【図３】
0004680428.tif 000004
【図４】
0004680428.tif 000005
【図５】
0004680428.tif 000006
【図６】
0004680428.tif 000007